(57)【要約】【課題】本発明は従来の大掛かりで複雑な装置を使う事無く、簡単、安全、容易に卓上白煙発生装置を提供する事を目的とする。【解決手段】本発明の主要部分はドライアイスと湯水を収納する本体と白煙放出穴と湯水注入穴を備えた蓋体からなる。しかし本発明の容器全体がなんらかの衝撃で裏返った場合容器内のドライアイスと湯水は蓋体の白煙放出穴と湯水注入穴から容器外に流出する。これを防ぐ為に中仕切り体を蓋体に設けることで白煙は放出するがドライアイスと湯水を受け止めて安全に利用することができる。【選択図】  図２
2005200225.tif 000002
【特許請求の範囲】
【請求項１】
皿状本体（１）とこの皿状本体（１）にかぶせる蓋体（２）からなる装置であり、前記皿状本体（１）の底面中心部には円筒（１ａ）が備えられて、この円筒（１ａ）には円筒の高さの約中間に位置した平たい円錐状で周縁部には複数の湯水通孔口（１ｂ）を有する天井部（１ｃ）を有し、また蓋体（２）はおわんの蓋に似た形状であってその上部中心の凹部分（２ｃ）に湯水を注ぐ注入穴（２ｂ）があり、蓋体（２）の傘部（２ｄ）には発生した白煙を放出する放出穴（２ａ）を有し、この傘部（２ｄ）の裏側からほぼ水平に延設された中仕切り体（３）が設けられ、この中仕切り体（３）の中心には前記注入穴（２ｂ）と対応する下向きに形成された円筒（３ａ）が備えられており、前記蓋体（２）と中仕切り体（３）によって白煙通過空間（４）が形成されることを特徴とするドライアイスによる卓上型白煙発生装置。
【発明の詳細な説明】
【技術分野】
【０００１】
本発明はドライアイスによる卓上型白煙発生装置、詳しくはドライアイスに湯水を接触させてドライアイスの白煙を発生させる装置に関する。
【背景技術】
【０００２】
従来、催事場や舞台において演出効果を高めるため大掛かりな装置を利用したドライアイスによる白煙とか炭酸ガスを利用して勢いよく白煙を噴出させる演出が多く利用されている。またドライアイスを利用しないで超音波を使いミストと呼ばれる霧を発生させたり、電気的に蒸気を発生させて立体看板や室内用に利用しているものがある。
【特許文献１】実公昭６０−９２２５号
【特許文献２】特開２００３−０３８８６８
【特許文献３】特願２００１-２３３６３５
【発明の開示】
【発明が解決しようとする課題】
【０００３】
いままでの装置は、水を所定温度まで熱するための大きなヒーターを備えたり、大きなガスボンベを利用するなど大掛かりなもので卓上で利用できないものが多い。また卓上で利用するものでも操作が複雑で、なんらかの衝撃で容器がひっくりかえると容器内のドライアイスと湯水が人に触れる危険性が高いものである。簡単、安全、容易にドライアイスによる白煙を発生させる装置があれば便利である。
【０００４】
本発明は、簡単、安全、容易にドライアイスによる白煙を卓上で発生させる、ドライアイスによる卓上型白煙発生装置を提供する事を目的とする。
【課題を解決するための手段】
【０００５】
本発明は前記課題を解決するためになされたものである。本発明のドライアイスによる卓上型白煙発生装置は、皿状本体１とこの皿状本体１にかぶせる蓋体２からなる装置であり、前記皿状本体１の底面中心部には円筒１ａが備えられて、この円筒１ａには円筒の高さの約中間に位置した平たい円錐状で周縁部には複数の湯水通孔口１ｂを有する天井部１ｃを有し、また蓋体２はおわんの蓋に似た形状であってその上部中心の凹部分２ｃに湯水を注ぐ注入穴２ｂがあり、蓋体２の傘部２ｄには発生した白煙を放出する放出穴２ａを有し、この傘部２ｄの裏側からほぼ水平に延設された中仕切り体３が設けられ、この中仕切り体３の中心には前記注入穴２ｂと対応する下向きに形成された円筒３ａが備えられており、前記蓋体２と中仕切り体３によって白煙通過空間４が形成されることを特徴とする。
【発明の効果】
【０００６】
本発明の本体の形は三角、四角、多角、円、と用途に合わせた形状が可能であるが、まわる回転寿し及びファミリーレストランで一番多く使用されているのが円い皿であることを考えると、円い皿上の形が使いやすく好ましい。また本体１、蓋体２、中仕切り体３を形成する材質としては金属、木、プラスチック等、いずれでもよいがプラスチックが成型しやすさ、美的、経済的、衛生的に好ましい。寸法としては、まわる回転寿しの皿を上にのせてバランスのよい大きさが好ましく、白煙を効果的に放出できる放出穴の大きさと数を設け、白煙発生可能時間を考慮した湯水量を保持するための容積が好ましい。
【発明を実施するための最良の形態】
【０００７】
商品よりも目立たず、かつ効果的に白煙が商品を引き立たせるという目的を小型で衛生的な形で実現した。
【実施例】
【０００８】
以下、回転寿し店において演出効果、装飾効果を上げるためのドライアイスによる卓上型白煙発生装置の一例についての実施例を図1に従って説明する。本発明の材質は食品を扱う業界を考慮し、無害のアクリル系ニトリルブタジエンスチレンを用いた。全体の寸法は約２ｃｍ角のドライアイス２０ｇ２個が効果的に白煙を発生するには約１００mlの湯水を使用する為、本体は前記ドライアイスを含めて最低約１４０mlを収納できる大きさが必要となる。まわる回転寿しの皿の直径が約１５cmなので、本体の直径を約１４．５cmとし、全体の高さを約５．５cmとした。傘部２ｄの裏側から延設された水平部分の中仕切り体３ｂには傘部２ｄからの寸法が２．５cmのところから下向きに形成された円筒３ａに向かって約１cmの段差３ｃが作られ、そこからわずかに傾斜する部分３ｄが設けられ１．５cmさきに高さ８mmの円筒３ａが備えられる。この段差３ｃと高さ８ｍｍの円筒３ａは本卓上型白煙発生装置がなんらかの衝撃で裏返った場合、中仕切り体３自体を、本体１にあったドライアイスと湯水を受け止める容器とする役割をする。また３ｄの傾斜は、注入穴２ｂから注入された湯水が滞ることなく本体１の底面中心部の円筒１ａに注ぎ込まれるためである。この円筒１ａには円筒の高さのほぼ中間の周辺に８個の湯水通孔口１ｂがある（図２）。天井部１ｃにあたった湯水は湯水通孔口１ｂから本体１内に流れ出る。天井部１ｃは円錐状になっているため、ここにも湯水が滞ることはない。１ｂの大きさと数は、注入された湯水が速やかにドライアイスに接触するために十分であり、本卓上型白煙発生装置がなんらかの衝撃で裏返った場合、湯水の逆流を最小限にくいとめるものとなっている。湯水の流れは図３に示す。また湯水通孔口１ｂから逆流した湯水は、中仕切り体３ａの円筒がうけとめることができるように本体１ａの円筒と中仕切り体３ａの円筒の左右の間隔を１cmとした。また前記円筒３ａの下端と前記円筒１ａの上端の間隔は２mmとした。こうすることにより白煙の流れ出るスペースを確保することができるので本卓上型白煙発生装置内の圧力が高まって破裂する危険を避けることができる。また蓋体２の湯水放出穴２ａと湯水注入穴２ｂはなんらかの衝撃でひっくり返ったときの安全性を考え、ドライアイスが容器外に出ないように白煙放出穴２ａは縦１cm、横２mmとし均等に１６個設け、中仕切り体３との接合部分よりも上の位置とした。また湯水注入穴２ｂは直径２cmとし格子状にした。また湯水注入時の受け口として凹部、深さ約６mmを設けた。
【０００９】
次いで、本発明品を用いてドライアイスから白煙を生じさせる作用の説明を、実際の使用状況にそって図３から図５を用いて説明する。図３に湯水の流れを示した。図４、５は本体1にドライアイスを入れ蓋体２をセットし湯水を注入して使用したときの白煙の出方を示した。白煙の動きは矢印で示した。
【００１０】
まずドライアイスと温水を収納する本体１内にドライアイスを入れる。図５に示すように中央の円筒１ａのまわりに約２ｃｍ角のドライアイス２０ｇを２個入れる。蓋体２を本体１にネジ式にセットする。矢印は本体１と蓋体２内で発生した白煙の動きを示したものである。図３の上部傘部分２ｄを手に持ち本体１に合わせて右に約４５度まわす。蓋体２に設けた湯水注入穴２ｂから湯水が注入されると中仕切り体３の中央の貫通孔３ａに導かれ、本体１に設けた湯水通孔口１ａに注がれ、湯水通孔口１ｂから本体１に流れ出る。矢印は湯水の流れを示している。この円筒１ａは中央が平たい円錐状になっており蓋体２に設けた湯水注入穴２ｂから注入された湯水は前記平たい円錐状の周縁部の８個の湯水通孔口１ｂから均等かつ速やかに本体１のドライアイスに接触する。ドライアイスは湯水との接触により白煙を勢いよく発生させる。本体１内で発生した白煙は、中仕切り体３の中央の貫通孔３ａを通り蓋体２と中仕切り体３の間にできた空間４を通過し、蓋体２に設けた放出穴２ａから外部に放出される。図４は白煙の出方を矢印を用いて示した。                        
【００１１】
本卓上型白煙発生装置がなんらかの衝撃で裏返った場合、本体１内のドライアイスと湯水が湯水通孔口１ｂのついた円筒１ａの筒部分によって中仕切り体３の貫通孔３ａに流れ出ることを防ぐ第一の壁となり、中仕切り体３ａの円筒は第二の壁となるとともに、中仕切り体３自体を、本体１にあったドライアイスと湯水を受け止める容器とする役割をする。これにより本体１にあったドライアイスと湯水は、中仕切り体３によって受け止められるので本卓上型白煙発生装置外に流出することができなくなるとともに、中仕切り体３に下向きに形成された円筒３ａの下端と本体１の底面中心部の円筒１ａの上端の間隔は２mm以上あいているので、白煙の流れ出るスペースを確保することができる。よって本卓上型白煙発生装置内の圧力が高まって破裂する危険を避けることができる。
【産業上の利用可能性】
【００１２】
本ドライアイスによる卓上型白煙発生装置はアクリル系ニトリルブタジエンスチレンからなるプラスチック製で、掃除がしやすく衛生的であり、軽量、小型であるため、持ち運びが容易であらゆる場所で白煙を楽しむことができる。飲食店においては商品のイメージアップに貢献すべく、状況に応じた利用が可能であり、ドライアイスと湯水が外にでないので小さな子供ずれの家族を対象とした飲食店等で安心、安全に利用できる。
【図面の簡単な説明】
【００１３】
【図１】本発明の実施例の断面を示した図である。
【図２】本発明の本体に設けられた湯水通孔口のついた円筒の上面図である。
【図３】本発明の実施例に湯水を注いだときの湯水の流れを示した図である。
【図４】本発明の本体と蓋体をセットして使用した時の白煙の動きを示すと共に全体を示した図である。
【図５】本発明の実施例を実際に用いた場合の白煙の動きを示した側面からの断面図である。
【符号の説明】
【００１４】
１  本体
１ａ本体に備えられた円筒
１ｂ湯水通孔口
１ｃ天井部
２  蓋体
２ａ放出穴
２ｂ注入穴
２ｃ凹部分
２ｄ傘部
３  中仕切り体
３ａ中仕切り体に備えられた円筒
３ｂ延設された水平部分
３ｃ約１cmの段差
３ｄわずかに傾斜する部分
４  白煙通過空間
【図１】
2005200225.tif 000003
【図２】
2005200225.tif 000004
【図３】
2005200225.tif 000005
【図４】
2005200225.tif 000006
【図５】
2005200225.tif 000007